【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
連続紙を搬送する搬送手段と、前記連続紙に印刷する印刷手段と、前記連続紙を切断する切断手段とを有するプリンタであって、
前記印刷手段により前記連続紙へ所定の印刷をした後に、前記搬送手段により前記連続紙を前記切断手段の切断位置まで前進させた後、次の印刷開始位置まで後退させる手段であって、前記次の印刷開始位置を次ページの先頭とする第１動作モードと、前記次の印刷開始位置を前記所定の印刷の続きとする第２動作モードとを有するティアオフ制御手段と、
前記第１動作モードと前記第２動作モードのいずれかの動作モードを指定する指定手段と
を具備することを特徴とするプリンタ。
【請求項２】
請求項１に記載のプリンタにおいて、
前記第１動作モードでは、前記連続紙への前記所定の印刷を終了したとき、改ページ送りを行い、さらに前記連続紙を前記切断位置まで前進させる
ことを特徴とするプリンタ。
【請求項３】
請求項１又は２に記載のプリンタにおいて、
受信手段と、
前記受信手段により他のプリンタ用の印刷ジョブコマンドを受信した場合に、当該印刷ジョブコマンドをエミュレートするエミュレート手段とを備え、
前記ティアオフ制御手段は、前記エミュレート手段によるエミュレートに基づく印刷が終了した後に、前記指定手段により指定された動作モードにしたがって制御する
ことを特徴とするプリンタ。
【請求項４】
請求項１乃至３のいずれかに記載のプリンタにおいて、
前記指定手段は操作手段を備え、
前記操作手段によりいずれかの前記動作モードを指定する
ことを特徴とするプリンタ。
【請求項５】
請求項３に記載のプリンタにおいて、
前記指定手段は、前記受信手段により所定のコマンドを受信した場合に、前記所定のコマンドに基づいていずれかの前記動作モードを指定する
ことを特徴とするプリンタ。
【請求項６】
連続紙を搬送する搬送手段と、前記連続紙に印刷する印刷手段と、前記連続紙を切断する切断手段とを有するプリンタの制御方法であって、
前記印刷手段により前記連続紙へ所定の印刷をした後に、前記搬送手段により前記連続紙を前記切断手段の切断位置まで前進させた後、次の印刷開始位置を次ページの先頭として前記連続紙を後退させる第１動作モードと、  前記印刷手段により前記連続紙へ所定の印刷をした後に、前記搬送手段により前記連続紙を前記切断手段の前記切断位置まで前進させた後、次の印刷開始位置を前記所定の印刷の続きとするように前記連続紙を後退させる第２動作モードとを、指定して実行することを特徴とするプリンタの制御方法。
【請求項７】
請求項６に記載のプリンタの制御方法において、
前記第１動作モードでは、前記連続紙への所定の印刷を終了したとき、改ページ送りを実行し、さらに前記連続紙を前記切断位置まで前進させる
ことを特徴とするプリンタの制御方法。
【請求項８】
請求項６又は７に記載のプリンタの制御方法において、
前記プリンタは受信手段を有し、
前記受信手段により他のプリンタ用の印刷ジョブコマンドを受信した場合に、当該印刷ジョブコマンドのエミュレートを実行し、
前記エミュレートに基づく印刷が終了した後に、前記指定された動作モードを実行する
ことを特徴とするプリンタの制御方法。
【手続補正２】
【補正対象書類名】明細書
【補正対象項目名】０００４
【補正方法】変更
【補正の内容】
【０００４】
上記目的を達成するために、本発明は、連続紙を搬送する搬送手段と、前記連続紙に印刷する印刷手段と、前記連続紙を切断する切断手段とを有するプリンタであって、前記印刷手段により前記連続紙へ所定の印刷をした後に、前記搬送手段により前記連続紙を前記切断手段の切断位置まで前進させた後、次の印刷開始位置まで後退させる手段であって、前記次の印刷開始位置を次ページの先頭とする第１動作モードと、前記次の印刷開始位置を前記所定の印刷の続きとする第２動作モードとを有するティアオフ制御手段と、前記第１動作モードと前記第２動作モードのいずれかの動作モードを指定する指定手段とを具備することを特徴とする。
【手続補正３】
【補正対象書類名】明細書
【補正対象項目名】０００５
【補正方法】変更
【補正の内容】
【０００５】
本発明によれば、切取用ミシン目線の付いた連続紙に印刷する場合であっても、ユーザが第２動作モードを選択することで、先の印刷との間に余計な空行を生じさせずに、次行から印刷を開始させることができる。また、第１動作モードを選択することで、ページ単位に切取ることが可能となる。なお、本発明においては、切取用ミシン目線の付いていないロール紙を連続紙と用いても良いことは勿論である。
【手続補正４】
【補正対象書類名】明細書
【補正対象項目名】０００６
【補正方法】変更
【補正の内容】
【０００６】
ここで、上記発明において、前記第１動作モードでは、前記連続紙への前記所定の印刷を終了したとき、改ページ送りを行い、さらに前記連続紙を前記切断位置まで前進させる構成としても良い。
この構成によれば、連続紙として切取用ミシン目線が付いた連続紙を用いた場合には、印刷後に切取用ミシン目線の付いた位置まで連続紙が改ページ送りされた後に、切断用の切断位置まで連続紙が送り出されるため、この切取用ミシン目線が切断位置に位置することとなり、連続紙の切断が容易となる。
【手続補正５】
【補正対象書類名】明細書
【補正対象項目名】０００７
【補正方法】変更
【補正の内容】
【０００７】
また、上記発明において、受信手段と、前記受信手段により他のプリンタ用の印刷ジョブコマンドを受信した場合に、当該印刷ジョブコマンドをエミュレートするエミュレート手段とを備え、前記ティアオフ制御手段は、前記エミュレート手段によるエミュレートに基づく印刷が終了した後に、前記指定手段により指定された動作モードにしたがって制御する構成としても良い。
この構成によれば、１つのプリンタが他のプリンタの動作をエミュレートする場合であっても、そのエミュレートするプリンタの仕様にかかわらず、上記動作モードを確実に制御することが可能となる。
【手続補正６】
【補正対象書類名】明細書
【補正対象項目名】０００８
【補正方法】変更
【補正の内容】
【０００８】
また、上記発明において、前記指定手段は操作手段を備え、前記操作手段によりいずれかの前記動作モードを指定する構成としてもよい。
この構成によれば、動作モードの選択設定を手動で簡単に行うことができる。
また、上記発明において、前記指定手段は、前記受信手段により所定のコマンドを受信した場合に、前記所定のコマンドに基づいていずれかの前記動作モードを指定する構成としても良い。
この構成によれば、例えばコンピュータ端末からプリンタに対して印刷ジョブコマンドを送信する際に、上記動作モードを指定するコマンドを印刷ジョブコマンドに含めておくことで、印刷に合わせて簡単に動作モードを指定することができる。
【手続補正７】
【補正対象書類名】明細書
【補正対象項目名】０００９
【補正方法】変更
【補正の内容】
【０００９】
また、上記課題を解決するために、本発明は、連続紙を搬送する搬送手段と、前記連続紙に印刷する印刷手段と、前記連続紙を切断する切断手段とを有するプリンタの制御方法であって、前記印刷手段により前記連続紙へ所定の印刷をした後に、前記搬送手段により前記連続紙を前記切断手段の前記切断位置まで前進させた後、次の印刷開始位置を次ページの先頭として連続紙を後退させる第１動作モードと、連続紙への印刷後に前記連続紙を切断用の切断位置まで前進させた後、次の印刷開始位置を前記所定の印刷の続きとするように前記連続紙を後退させる第２動作モードとを、指定して実行することを特徴とする。
本発明によれば、切取用ミシン目線の付いた連続紙に印刷する場合であっても、ユーザが第２動作モードを選択することで、先の印刷との間に余計な空行を生じさせずに、次行から印刷を開始させることができる。また、第１動作モードを選択することで、ページ単位に切取ることが可能となる。
また、前記第１動作モードでは、前記連続紙への所定の印刷を終了したとき、改ページ送りを実行し、さらに前記連続紙を前記切断位置まで前進させることを特徴とする。
また、前記プリンタは受信手段を有し、前記受信手段により他のプリンタ用の印刷ジョブコマンドを受信した場合に、当該印刷ジョブコマンドのエミュレートを実行し、前記エミュレートに基づく印刷が終了した後に、前記指定された動作モードを実行することを特徴とする。
【手続補正８】
【補正対象書類名】明細書
【補正対象項目名】００１０
【補正方法】変更
【補正の内容】
【００１０】
本発明によれば、連続紙へ所定の印刷後に前記連続紙を切断手段の切断位置まで前進させた後、次の印刷開始位置まで後退させる手段であって、次の印開始位置を次ページの先頭とする第１動作モードと、次の印刷開始位置を所定の印刷の続きとする第２動作モードとを有するティアオフ制御手段と、前記第１動作モードと前記第２動作モードのいずれかの動作モードを指定手段とを具備する構成としたため、切取用ミシン目線の付いた連続紙に印刷する場合であっても、ユーザが第２動作モードを選択することで、先の印刷との間に余計な空行を生じさせずに、先の印刷の続きから印刷を開始させることができる。
【手続補正９】
【補正対象書類名】明細書
【補正対象項目名】００２４
【補正方法】変更
【補正の内容】
【００２４】
次いで、本実施形態のプリンタ１の動作について説明する。
図３は、プリンタ１の印刷処理のフローチャートである。この図に示すように、制御部２は、印刷ジョブコマンドＰｃｍを受信すると、カウンタＮを「０」に、カウンタＭを「３０００」に初期化する（ステップＳａ１）。これらのカウンタＮ、Ｍについて説明すると、カウンタＮは、タイムアウト印刷を実行するために、印刷ジョブコマンドＰｃｍの受信が完了してから次の印刷ジョブコマンドＰｃｍを受信するまでの経過時間をカウントするものであり、カウンタＭはタイムアウト時間を判定するものである。すなわち、カウンタＮは、カウント値の初期化後に「１」ずつカウント値をインクリメントし、当該カウンタ値がカウンタＭの値である「３０００」に達したとき、すなわち、タイムアウト時間である「３秒」が経過したときに「０」にリセットされる。
【手続補正１０】
【補正対象書類名】明細書
【補正対象項目名】００２６
【補正方法】変更
【補正の内容】
【００２６】
一方、上記ステップＳａ２の判断の結果、インプットバッファに印刷ジョブコマンドＰｃｍがない場合（ステップＳａ２：ＮＯ）、すなわち、印刷ジョブコマンドＰｃｍに基づく印刷が完了し、次の印刷ジョブコマンドＰｃｍの待ち受け状態である場合には、制御部２は、「１ｍ秒」経過時にカウンタＮを「１」だけインクリメントし（ステップＳａ５）、カウンタＮのカウンタ値がカウンタＭの値よりも大きくなったか否かを判断する（ステップＳａ６）。
【手続補正１１】
【補正対象書類名】図面
【補正対象項目名】図３
【補正方法】変更
【補正の内容】
【図３】
2007320134.tif 000001